(57)【要約】【課題】マクロ撮影時などの光量不足の場合でもカメラ単体で良好な接写画像を得ることが可能なカメラを提供する。【解決手段】光学レンズ１０１を有する撮影部１６０とバックライトを使用するＬＣＤ表示部１２２とを備えたカメラ１００において、ＬＣＤ表示部１２２はカメラ１００のボディ上の光学レンズ１０１が配される面側に配置され、バックライト光Ｌ１をＬＣＤ表示部１２２を通して被写体に照射する。【選択図】        図２
2004286781.tif 000002
【特許請求の範囲】
【請求項１】
光学レンズを有する撮影部とバックライトを使用する状態表示部とを備えたカメラにおいて、
前記状態表示部はカメラのボディ上の光学レンズが配される面側に配置され、
前記バックライトの光を状態表示部を通して被写体に照射することを特徴とするカメラ。
【請求項２】
前記状態表示部に無模様の画像が撮影時に表示されることを特徴とする請求項１に記載のカメラ。
【請求項３】
前記バックライトが撮影時に最大輝度となることを特徴とする請求項１に記載のカメラ。
【請求項４】
前記バックライトの輝度が撮影時に任意に調整可能であることを特徴とする請求項１に記載のカメラ。
【請求項５】
前記状態表示部の色温度が５５００Ｋになることを特徴とする請求項１に記載のカメラ。
【請求項６】
前記撮影部の光軸がバックライトの配光の中心に向くように、撮影部が回動可能な構成としたことを特徴とする請求項１に記載のカメラ。
【発明の詳細な説明】
【０００１】
【発明の属する技術分野】
本発明は、カメラに関し、詳しくはバックライトを使用する状態表示部を備えたカメラに関するものである。
【０００２】
【従来の技術】
近年、デジタルスチルカメラ、デジタルビデオカメラなど種々のカメラにおいて、液晶ディスプレイ（以下、ＬＣＤと称する。）などの状態表示部を備え、カメラ使用時の各種メニューや被写体を撮影部を通してみたモニター画像をその状態表示部に表示する構成のものが一般的となっている。
【０００３】
最近では、ＬＥＤランプやバッテリ等の温度制御にも使用される温度センサーを状態表示部の白色補助光ランプの温度制御にも利用することにより、その補助光ランプの劣化を防ぎつつ、可及的に輝度を上げることで状態表示部の起動直後でもその画面の視認性が良好となるデジタルカメラが提供されている（例えば、特許文献１参照。）。
【０００４】
一方、被写体上の光量が不足して良好な画像が得られないときには、光量を確保するためにカメラ付属のストロボを露出に連動させて発光する構成のものが一般的である。
【０００５】
【特許文献１】
特開２００１−２５７９２１号公報（段落［００１９］〜［００３９］、図１）
【０００６】
【発明が解決しようとする課題】
しかしながら、被写体にカメラを近接させて撮るマクロ撮影においては、ストロボ発光では光量が過剰となることから光量不足の場合でもストロボを使用することはできず、カメラとは別に補助光用ライトなどの機材を予め用意する必要や、光量が十分な状態となるまで待機する必要があったため、撮影が不便であったり、シャッターチャンスに撮影ができないなどの問題があった。
【０００７】
本発明は、以上の従来技術における問題に鑑みてなされたものであり、マクロ撮影時などの光量不足の場合でもカメラ単体で良好な接写画像を得ることが可能なカメラを提供することを目的とする。
【０００８】
【課題を解決するための手段】
前記課題を解決するために提供する請求項１の発明に係るカメラは、光学レンズを有する撮影部とバックライトを使用する状態表示部とを備えたカメラにおいて、前記状態表示部はカメラのボディ上の光学レンズが配される面側に配置され、前記バックライトの光を状態表示部を通して被写体に照射することを特徴とする。
【０００９】
請求項１の発明により、バックライトの光が状態表示部を通して被写体に照射されることで光量が確保され、良好な画像を得ることが可能となる。
ここで、状態表示部は、メニュー表示や被写体のモニター画像を表示できるものでバックライトによってその画面表示が見やすくなる構成のものであり、ＬＣＤなどが該当する。
【００１０】
前記課題を解決するために提供する請求項２の発明に係るカメラは、請求項１の発明において、前記状態表示部に無模様の画像が撮影時に表示されることを特徴とする。
前記課題を解決するために提供する請求項３の発明に係るカメラは、請求項１の発明において、前記バックライトが撮影時に最大輝度となることを特徴とする。
前記課題を解決するために提供する請求項４の発明に係るカメラは、請求項１の発明において、前記バックライトの輝度が撮影時に任意に調整可能であることを特徴とする。
前記課題を解決するために提供する請求項５の発明に係るカメラは、請求項１の発明において、前記状態表示部の色温度が５５００Ｋになることを特徴とする。
【００１１】
請求項２〜５の発明により、マクロ撮影に適量の光が確保されることになり、より良好な画像を得ることが可能となる。
ここで、無模様の画像とは、モニター画像など表示画面になにも表示されていない状態で画面全体が均一な単色な画像であることをいう。
なお、撮影時とは、第１レリーズが押された時点から第２レリーズが押された時点までを指す。
【００１２】
前記課題を解決するために提供する請求項６の発明に係るカメラは、請求項１の発明において、前記撮影部の光軸がバックライトの配光の中心に向くように、撮影部が回動可能な構成としたことを特徴とする。
【００１３】
請求項６の発明により、バックライトの光量の最も多い領域を補助光として有効利用することが可能となる。また、撮影部の回動により被写体上の光量を調整しつつ、被写体とカメラとの間の距離を調整することも可能となる。
なお、状態表示部側を回動可能とし、バックライトの配光の中心が撮影部の光軸に向くようにしてもよい。
【００１４】
【発明の実施の形態】
以下に、本発明に係るカメラの第１の実施の形態について説明する。
図１は、本発明に係るカメラの一実施の形態における構成を示すブロック図である。
図１に示すように、デジタルカメラ１００は、
（１）レンズユニット；フォーカスレンズ１０１ａとズームレンズ１０１ｂとからなるレンズ１０１、絞り・フィルター部等を含むメカ機構１０２、フォーカスドライバ１３１、パルスモータ１３２、ズームドライバ１３３、パルスモータ１３４、モータドライバ１３５
（２）撮像素子；ＣＣＤ１０３、
（３）信号処理系；ＣＤＳ回路１０４、可変利得増幅器（ＡＧＣアンプ）１０５、Ａ／Ｄ変換器１０６、ＩＰＰ１０７、ＤＣＴ１０８、コーダー１０９、ＭＣＣ１１０、ＤＲＡＭ１１１、ＰＣカードインターフェース１１２
（４）制御系；コントローラ１２１、操作部１２５、ＳＧ（制御信号生成）部１２６、フラッシュメモリ１３０
（５）状態表示部；ＬＣＤ表示部１２２、バックライト１２３、バックライト駆動回路１２４
（６）ストロボ装置１２７、
（７）電源系；バッテリ１２８、ＤＣ−ＤＣコンバータ１２９
を具備して構成されている。また、ＰＣカードインターフェース１１２を介して着脱可能なＰＣカード１５０が接続されている。
【００１５】
レンズユニットは、レンズ１０１、絞り・フィルター部等を含むメカ機構１０２からなり、メカ機構１０２のメカニカルシャッタは２つのフィールドの同時露光を行う。
【００１６】
フォーカスドライバ１３１は、ＣＰＵ１２１から供給される制御信号に従って、パルスモータ１３２を駆動して、フォーカスレンズ１０１ａを光軸方向に移動させる。ズームドライバ１３３は、ＣＰＵ１２１から供給される制御信号に従って、パルスモータ１３４を駆動して、ズームレンズ１０１ｂを光軸方向に移動させる。また、モータドライバ１３５は、ＣＰＵ１２１から供給される制御信号に従ってメカ機構１０２を駆動し、例えば、絞りの絞り値を設定する。
【００１７】
ＣＣＤ（電荷結合素子）１０３は、レンズユニットを介して入力された映像を電気信号（アナログ画像データ）に変換する。ＣＣＤ１０３の出力信号は、ＣＤＳ（相関２重サンプリング）回路１０４およびＡＧＣアンプ１０５を介し、またＡ／Ｄ変換器１０６により、最適なサンプリング周波数（例えば、ＮＴＳＣ信号のサブキャリア周波数の整数倍）にてデジタル信号に変換される。
【００１８】
また、デジタル信号処理部であるＩＰＰ（Ｉｍａｇｅ  Ｐｒｅ−Ｐｒｏｃｅｓｓｏｒ）１０７、ＤＣＴ（Ｄｉｓｃｒｅｔｅ  Ｃｏｓｉｎｅ  Ｔｒａｎｓｆｏｒｍ）１０８、およびコーダー（Ｈｕｆｆｍａｎ  Ｅｎｃｏｄｅｒ／Ｄｅｃｏｄｅｒ）１０９は、Ａ／Ｄ変換器１０６から入力したデジタル画像データについて、色差（Ｃｂ、Ｃｒ）と輝度（Ｙ）に分けて各種処理、補正および画像圧縮／伸長のためのデータ処理が施される。
【００１９】
さらに、ＭＣＣ（Ｍｅｍｏｒｙ  Ｃａｒｄ  Ｃｏｎｔｒｏｌｌｅｒ）１１０は、圧縮処理された画像を一旦蓄えてＰＣカードインターフェース１１２を介してＰＣカード１５０への記録、或いはＰＣカード１５０からの読み出しを行う。
【００２０】
ＬＣＤ表示部１２２は、画像データや操作メニュー等が表示される状態表示部である。バックライト１２３は、ＬＣＤ表示部１２２を背面から照明し、ＬＣＤ表示部１２２に表示された画像を見やすくするものであり、例えば白色ＬＥＤからなる。バックライト駆動回路１２４は、コントローラ１２１の制御に基づき、バックライト１２３に駆動電流を出力してバックライト１２３を点灯させる。コントローラ１２１は、後述するように、マクロ撮影時にバックライト駆動回路１２４からバックライト１２３に出力される駆動電流を制御して、バックライト１２３の輝度を制御する。
【００２１】
操作部１２５は、撮影の指示を行うための第１レリーズキー１２５ａ、第２レリーズキー１２５ｂ、電源スイッチ１２５ｃ、ＬＣＤスイッチ、機能選択およびその他の各種設定を外部から行うためのボタン等を備えている。
【００２２】
ストロボ１２７は、通常撮影時に使用されるものであり、コントローラ１２１の制御によりストロボ光を発する。バッテリ１２８は、カメラ電源として使用されるものであり、例えば、ニッケル水素電池、リチウムイオン電池、ニッカド（ＮｉＣｄ）電池、アルカリ電池等からなり、ＤＣ−ＤＣコンバータ１２９を介してデジタルカメラ１００の内部に供給される。ＤＣ−ＤＣコンバータ１２９は、コントローラ１２１の制御により、デジタルカメラ内部に出力する各種電源をＯＮ／ＯＦＦするスイッチ回路を内蔵している。
【００２３】
コントローラ１２１は、ＣＰＵ、ＲＯＭ、ＲＡＭからなり、ＣＰＵは、操作部１２５からの指示または図示しないリモコン等の外部動作指示に従い、ＲＯＭに格納された制御プログラムに従って、ＲＡＭをワークエリアとして使用して、デジタルカメラ１００の装置全体の制御を行う。具体的には、コントローラ１２１は、撮像動作、自動露出（ＡＥ）動作、自動ホワイトバランス（ＡＷＢ）調整動作や、ＡＦ動作等の制御を行う。
【００２４】
また、コントローラ１２１は、被写体を撮像して得られる画像データをＰＣカード１５０に記録する記録モードと、ＰＣカード１５０に記録された画像データを表示する表示モードと、撮像したモニタリング画像をＬＣＤ表示部１２２に直接表示するモニタリングモード等を備えている。
【００２５】
さらに、コントローラ１２１は、ストロボ１２７を使用する通常撮影モードとバックライト１２３の光を補助光として使用するマクロ撮影モードとを備えている。フラッシュメモリ１３０には、デジタルカメラの各種パラメータやデータが記録されている。
【００２６】
図２は、本発明に係るカメラの第１の実施の形態におけるカメラ外観図である。
図２（ａ）、（ｂ）に示すように、ＬＣＤ表示部１２２は、デジタルカメラ１００のボディ上の撮影部１６０のレンズ１０１が配される面側に配置されている。すなわち、レンズ１０１とＬＣＤ表示部１２２とはデジタルカメラ１００のボディの同じ面に配置され、いずれも被写体に向くように構成されている。
【００２７】
図２（ｂ）はマクロ撮影時の状態を示しており、バックライト１２３の光（バックライト光Ｌ１）はＬＣＤ表示部１２２を通して所定の画角で配光され、その光の一部が被写体に照射されている。同時に、レンズ１０１の光軸ａ１は被写体を向いており、撮影部１６０の撮影範囲Ｒ１はバックライト光Ｌ１の照射範囲内に入った状態である。
【００２８】
つぎに、本発明に係るカメラを使用したマクロ撮影の動作内容を図１及び図２を参照しながら説明する。
（ｓ１１）電源スイッチ１２５ｃが操作され、カメラ電源ＯＮとなる。
（ｓ１２）ＬＣＤ表示部１２２にバックライト１２３が点灯し、レンズユニット、ＣＣＤ１０３、信号処理系を通したモニター画像であるスルー画像が表示される。
（ｓ１３）レリーズボタン１７０が押下され、第１レリーズキー１２５ａの信号が入る。
（ｓ１４）ＬＣＤ表示部１２２上のスルー画面が消え、無模様で単色の画面になる。
（ｓ１５）ＬＣＤ表示部１２２の画角をカバーする範囲のバックライト１２３が点灯し、図２（ｂ）に示される状態となる。
（ｓ１６）図示していない測光手段により、外光が測定される。
（ｓ１７）図示していない測距手段により、被写体までの距離が測定される。
（ｓ１８）ステップｓ１６、ｓ１７の結果に基づき、撮影条件が設定され撮影準備が完了する。
（ｓ１９）レリーズボタン１７０がさらに押下され、第２レリーズキー１２５ｂの信号が入る。
（ｓ１ａ）ステップｓ１８の撮影条件で撮像され、その画像がＰＣカード１５０に記録され、一連の動作が終了する。
【００２９】
以上のように、バックライト１２３の光が補助光として被写体に照射され、マクロ撮影においても十分な光量が確保されることから良好な画像を得ることができる。ステップｓ１５の後、バックライト１２３の輝度を最大になるようにして、ＬＣＤ表示部の色温度５５００Ｋとすると、光量確保の点でより効果的である。
【００３０】
なお、上記動作内容において、動作当初にはバックライト１２３は点灯させず、測光手段による外光測定により光量不足が検知された場合に自動的にバックライト１２３が点灯するようにしてもよい。
【００３１】
また、撮影部１６０またはＬＣＤ表示部１２２がデジタルカメラ１００のレンズ１０１の光軸ａ１と直角をなす軸を中心軸としてボディ上を回動可能な構成としておき、通常の状態ではＬＣＤ表示部１２２はデジタルカメラ１００のボディ上のレンズ１０１が配される面とは反対側、すなわち被写体とは反対側に配置されており、マクロ撮影時に撮影部１６０またはＬＣＤ表示部１２２が回動されて図２の状態となるようにしてもよい。
【００３２】
次に、本発明に係るカメラの第２の実施の形態について説明する。
図３は、本発明に係るカメラの第２の実施の形態における構成を示すブロック図である。
図３はデジタルカメラ２００の構成を示しており、第１の実施の形態である図１の構成に、操作部１２５の機能として輝度調整スイッチ１２５ｄ、１２５ｅを付加した構成となっている。
輝度調整スイッチ１２５ｄは、バックライト１２３の輝度を増加させる方向、すなわち明るくする方向へ調整する機能を有するもので、押しつづけると連続的に輝度が増加され、最終的に最大輝度まで明るくすることが可能である。一方、輝度調整スイッチ１２５ｅは、バックライト１２３の輝度を低減させる方向、すなわち暗くする方向へ調整する機能を有するもので、押しつづけると連続的に輝度が低減され、最終的に消灯状態となる。
【００３３】
図４は、本発明に係るカメラの第２の実施の形態におけるカメラ外観図である。
図４（ａ）、（ｂ）における、ＬＣＤ表示部１２２及び撮影部１６０のレンズ１０１の配置、並びにバックライト１２３の光（バックライト光Ｌ２）の照射状態、レンズ１０１の光軸ａ２、撮影部１６０の撮影範囲Ｒ２は図２におけるバックライト光Ｌ１、光軸ａ１、撮影範囲Ｒ１と同様である。また、図４（ｂ）に示すように、デジタルカメラ２００の上部には輝度調整スイッチ１２５ｄ、１２５ｅが設けられている。
【００３４】
つぎに、本発明に係るカメラを使用したマクロ撮影の動作内容を図３及び図４を参照しながら説明する。
（ｓ２１）電源スイッチ１２５ｃが操作され、カメラ電源ＯＮとなる。
（ｓ２２）ＬＣＤ表示部１２２にバックライト１２３が点灯し、レンズユニット、ＣＣＤ１０３、信号処理系を通したモニター画像であるスルー画像が表示される。
（ｓ２３）レリーズボタン１７０が押下され、第１レリーズキー１２５ａの信号が入る。
（ｓ２４）ＬＣＤ表示部１２２上のスルー画面が消え、無模様で単色の画面になる。
（ｓ２５）ＬＣＤ表示部１２２の画角をカバーする範囲のバックライト１２３が点灯し、図４（ｂ）に示される状態となる。
（ｓ２６）輝度調整スイッチ１２５ｄ及び１２５ｅが押されることにより、バックライト１２３の輝度が、使用者が目的とする光量となるように調整される。
（ｓ２７）図示していない測光手段により、外光が測定される。
（ｓ２８）図示していない測距手段により、被写体までの距離が測定される。
（ｓ２９）ステップｓ２７、ｓ２８の結果に基づき、撮影条件が設定され撮影準備が完了する。
（ｓ２ａ）レリーズボタン１７０がさらに押下され、第２レリーズキー１２５ｂの信号が入る。
（ｓ２ｂ）ステップｓ２９の撮影条件で撮像され、その画像がＰＣカード１５０に記録され、一連の動作が終了する。
【００３５】
以上のように、調整されたバックライト１２３の光が補助光として被写体に照射されて適度な光量となり、マクロ撮影においても使用者が目的とする良好な画像を得ることができる。
【００３６】
次に、本発明に係るカメラの第３の実施の形態について説明する。
図５は、本発明に係るカメラの第３の実施の形態における構成を示すブロック図である。
図５デジタルカメラ３００の構成を示しており、第１の実施の形態である図１の構成に、操作部１２５の機能として補助光モードスイッチ１２５ｆを付加した構成となっている。
補助光モードスイッチ１２５ｆは、バックライト１２３の光をＬＣＤ表示部１２２の画像の見やすくするための光からマクロ撮影用の補助光に切替えるためのスイッチである。
【００３７】
図６は、本発明に係るカメラの第３の実施の形態におけるカメラ外観図である。
図６（ａ）、（ｂ）におけるＬＣＤ表示部１２２と撮影部３６０のレンズ１０１との配置関係は図２と同様であり、ＬＣＤ表示部１２２が、デジタルカメラ３００のボディ上の撮影部３６０のレンズ１０１が配される面側に配置されている。ただし、撮影部３６０はレンズ１０１とともに軸部３６１を回転軸として図中左右方向に回動可能な構成となっている。したがって、レンズ１０１の光軸ａ３及び撮影部３６０の撮影範囲Ｒ３も図中左右方向に回転可能であり、例えば、図６（ｂ）のように光軸ａ３及び撮影範囲Ｒ３をバックライト１２３の光（バックライト光Ｌ３）の照射領域のうち、光量の多い領域である中心領域に向ける、あるいは被写体をＬＣＤ表示部１２２及び撮影部３６０により近接させることが可能である。
また、図６（ｂ）に示すように、デジタルカメラ３００の上部にはレリーズボタン１７０とともに補助光モードスイッチ１２５ｆが設けられている。
【００３８】
つぎに、本発明に係るカメラを使用したマクロ撮影の動作内容を図５及び図６を参照しながら説明する。
（ｓ３１）電源スイッチ１２５ｃが操作され、カメラ電源ＯＮとなる。
（ｓ３２）ＬＣＤ表示部１２２にバックライト１２３が点灯し、レンズユニット、ＣＣＤ１０３、信号処理系を通したモニター画像であるスルー画像が表示される。
（ｓ３３）補助光モードスイッチ１２５ｆが押され、モード切替え信号が入る。
（ｓ３４）ＬＣＤ表示部１２２上のスルー画面が消え、無模様で単色の画面になる。
（ｓ３５）撮影部３６０を回動させ、被写体をＬＣＤ表示部１２２及び撮影部３６０に近接させる。
（ｓ３６）レリーズボタン１７０が押下され、第１レリーズキー１２５ａの信号が入る。
（ｓ３７）ＬＣＤ表示部１２２の画角をカバーする範囲のバックライト１２３が点灯し、図６（ｂ）に示される状態となる。
（ｓ３８）図示していない測光手段により、外光が測定される。
（ｓ３９）図示していない測距手段により、被写体までの距離が測定される。
（ｓ３ａ）ステップｓ３８、ｓ３９の結果に基づき、撮影条件が設定され撮影準備が完了する。
（ｓ３ｂ）レリーズボタン１７０がさらに押下され、第２レリーズキー１２５ｂの信号が入る。
（ｓ３ｃ）ステップｓ３ａの撮影条件で撮像され、その画像がＰＣカード１５０に記録され、一連の動作が終了する。
【００３９】
以上のように、撮影部３６０の回動により調整されたバックライト１２３の光が補助光として被写体に照射されて適度な光量となり、かつ被写体とカメラ３００との間の距離が調整され、マクロ撮影においても使用者が目的とする良好な画像を得ることができる。
【００４０】
なお、上記３つの発明の実施の形態ではデジタルカメラを例に説明したが、これに限定されるものではなく、バックライトを有する状態表示部を備えたカメラであれば銀塩カメラ、ビデオカメラなど各種のカメラに本発明を適用することが可能である。
【００４１】
【発明の効果】
上述したように、請求項１の発明によれば、バックライトの光が状態表示部を通して被写体に照射されることにより、被写体上で光量が確保され、良好な画像を得ることができる。
請求項２〜５の発明によれば、マクロ撮影に適量の光が確保されることにより、より良好な画像を得ることができる。
請求項６の発明によれば、撮影部の回動によりバックライトの光量の最も多い領域を補助光として有効利用することができる。また、被写体上の光量を調整しつつ、被写体とカメラとの間の距離を調整することもできる。
【図面の簡単な説明】
【図１】本発明に係るカメラの第１の実施の形態における構成を示すブロック図である。
【図２】本発明に係るカメラの第１の実施の形態における構成を示す外観図である。
【図３】本発明に係るカメラの第２の実施の形態における構成を示すブロック図である。
【図４】本発明に係るカメラの第２の実施の形態における構成を示す外観図である。
【図５】本発明に係るカメラの第３の実施の形態における構成を示すブロック図である。
【図６】本発明に係るカメラの第３の実施の形態における構成を示す外観図である。
【符号の説明】
１００，２００，３００    デジタルカメラ
１０１    レンズ
１０１ａ    フォーカスレンズ系
１０１ｂ    ズームレンズ系
１０２    オートフォーカス等を含むメカ機構
１０３    ＣＣＤ（電荷結合素子）
１０４    ＣＤＳ（相関２重サンプリング）回路
１０５    可変利得増幅器（ＡＧＣアンプ）
１０６    Ａ／Ｄ変換器
１０７    ＩＰＰ（Ｉｍａｇｅ  Ｐｒｅ−Ｐｒｏｃｅｓｓｏｒ）
１０８    ＤＣＴ（Ｄｉｓｃｒｅｔｅ  Ｃｏｓｉｎｅ  Ｔｒａｎｓｆｏｒｍ）
１０９    コーダー（Ｈｕｆｆｍａｎ  Ｅｎｃｏｄｅｒ／Ｄｅｃｏｄｅｒ）
１１０    ＭＣＣ（Ｍｅｍｏｒｙ  Ｃａｒｄ  Ｃｏｎｔｒｏｌｌｅｒ）
１１１    ＲＡＭ（内部メモリ）
１１２    ＰＣカードインターフェース
１２１    コントローラ
１２２    ＬＣＤ表示部（状態表示部）
１２３    バックライト
１２４    バックライト駆動回路
１２５    操作部
１２５ａ    第１レリーズキー
１２５ｂ    第２レリーズキー
１２５ｃ    電源スイッチ
１２５ｄ，１２５ｅ    輝度調整スイッチ
１２５ｆ    補助光モードスイッチ
１２６    ＳＧ部
１２７    ストロボ装置
１２８    バッテリ
１２９    ＤＣ−ＤＣコンバータ
１３０    フラッシュメモリ
１３１    フォーカスドライバ
１３２    パルスモータ
１３３    ズームドライバ
１３４    パルスモータ
１３５    モータドライバ
１５０    ＰＣカード
１６０，３６０    撮影部
１７０    レリーズボタン
３６１    軸部
ａ１，ａ２，ａ３    光軸
Ｌ１，Ｌ２，Ｌ３    バックライト光
Ｒ１，Ｒ２，Ｒ３    撮影範囲
【図１】
2004286781.tif 000003
【図２】
2004286781.tif 000004
【図３】
2004286781.tif 000005
【図４】
2004286781.tif 000006
【図５】
2004286781.tif 000007
【図６】
2004286781.tif 000008